(57)【要約】【課題】  ティッシュボックスを新しい物に交換する作業が面倒であった。また箱形や袋型など大げさな物が多く、使用しない時には邪魔であった。これらを改善し、簡単に新しいティッシュボックスに交換でき、使用しないときに邪魔にならないティッシュボックスホルダーを提供する。【解決手段】  ティッシュボックス側面にある解体用の穴を利用してつり下げて保持する。ティッシュボックスホルダーの形状は様々だが、解体用の穴からその一部を挿入し、その後は大きさや形状が穴から出にくいものに変化する仕組みを持たせる。【選択図】  図１
2006056596.tif 000002
【特許請求の範囲】
【請求項１】
ティッシュペーパーボックス（１）を吊すホルダーであって、ティッシュペーパーボックス（１）の側面にある解体用の穴（３）を利用してティッシュペーパーボックス（１）をつり下げて保持する事を特徴とするティッシュボックスホルダー（２）。
【請求項２】
請求項１に記載されるティッシュボックスホルダー（１）であって、弾性のある素材を一部または全体に用いる事を特徴とし、力を加える事によってティッシュボックスホルダー（１）の一部または全体を解体用の穴（３）に挿入可能な形状に変形させる事が出来、挿入後は力を緩める事によってもとの形状を回復してティッシュボックスのつり下げ保持が可能となる構造を持つティッシュボックスホルダー。
【請求項３】
請求項２において記載されるティッシュボックスホルダーであって、それぞれ対をなす握り部（６）及び保持部（７）を持つ事を特徴とし、握り部（６）を指などで押す事によって対になった保持部（７）間の互いの距離（５）が縮まり、ティッシュボックスの解体用の穴（３）への挿入が可能になり、保持部（７）の挿入後に握り部（６）への力を緩めると対になった保持部（７）の互いの距離（５）が開き、保持部（７）が解体用の穴（３）から抜け出ない形状に回復する事によりティッシュボックスの保持が可能となる構造を持つティッシュボックスホルダー。
【請求項４】
請求項１において記載されるティッシュボックスホルダーであって、クリップ状の構造を持つことを特徴とし、ティッシュペーパーボックスの側面にある解体用の穴（３）の縁をクリップで挟むことによりティッシュペーパーボックスの保持が可能となるティッシュボックスホルダー。
【発明の詳細な説明】
【発明の詳細な説明】
【技術分野】
【０００１】  この発明はティッシュボックスホルダーに関するものである。
【背景技術】
【０００２】  従来より様々な形のティッシュボックスホルダーが販売されている。これらはティッシュボックスを外側から支えるかあるいはボックス全体を包むような形状であった。解体用の穴を利用する特開２００２−１２８１６３も同様である。
【発明が解決しようとする課題】
【０００３】  従来のものは、新しいティッシュペーパーボックスに取り替える際、手間がかかった。本発明では、着脱が楽で補充を簡単に行う事が出来るティッシュボックスホルダーを提供する。
【課題を解決するための手段】
【０００４】  ティッシュボックスの両側面には解体用にミシン目が設けられている。本発明では、この解体用の穴（３）を利用してティッシュボックスをホルダーにつり下げ係止する事を要旨とする。尚ここでは穴（３）は解体用の穴を指す。
【発明を実施するための最良の形態】
【０００５】  ティッシュボックスホルダーの一部を解体用の穴（３）の中に挿入する。入れる時には穴（３）を十分通過するサイズに変化させる事ができ、通過後は穴（３）から抜けて出ないようなサイズまたは形状に復元される仕組みを持たせる。中にある部分が支えとなってティッシュボックスをつり下げる事が出来る。【０００６】  穴（３）の形状は色々であるが、概ね縦横がそれぞれ１３〜１６ｍｍ、１８ｍｍ〜３０ｍｍ程度の半円形またはそれに近い形である。
【実施例１】
【０００７】  平バネを使った例を図１に示す。ここでは薄い金属板を用いたが、材料は樹脂を含め適度の弾性を持つものであれば問わない。【０００８】  図１（ａ）は実施例１の使用状態の斜視図である。壁に付けたフックなどにこのティッシュボックスホルダー（１）を直接引っかけても良いし、吊り紐などを介して吊り下げても良い。【０００９】  図１（ｂ−１）は握り部（６）に力を加えない状態のティッシュボックスホルダー（１）と穴（３）の関係を示す。保持部（７）が穴（３）の両側を下から支える格好となり、その結果としてティッシュボックスをつり下げる事が出来る。【００１０】  図１（ｂ−２）はホルダー保持部（７）を示す断面図であり、対になった保持部（７）間の互いの距離（５）を矢印で示した。尚一般に距離は中心間の距離を指すことが多いが、この場合には図に示した通りの範囲を距離とする。
図１（ｂ−３）はティッシュボックスの半円形の穴（３）を上から見た平面図である。ここに矢印で最大径（４）を示した。【００１１】    図１（ｂー４）は握り部（６）を両側から押した状態を示す。対になった保持部（７）は互いの間隔が狭まっている。保持部（７）の横幅や形状はこの時穴（３）を通過できる様に設計されなければならない。対になった保持部（７）の横幅の合計は少なくとも穴（３）の最大径（４）より小さい必要がある。
素材に弾性があるため、握り部（６）を押したり離したりする事で保持部（７）への操作が出来、穴（３）への出し入れは非常に簡単である。【００１２】  対になった保持部（７）間の距離（５）は、大きすぎると穴（３）に無理な力が加わって使用途中のティッシュボックスが破損するおそれがあり、また小さすぎると穴（３）から抜け出る可能性があって安定した保持が出来ない。
使用中には保持部（７）間の距離（５）は穴（３）の最大径（４）にほぼ一政する事が望ましいが、実際には穴（３）の大きさはティッシュペーパーの銘柄によって違いがある。平均的な穴（３）の最大径（４）より僅かに保持部（７）間の距離（５）の方が大きくなるように設計する事になろう。又、保持部（７）の握り部（６）への付け根部分については、幅を概ね２ｍｍ〜５ｍｍ程度に細く作り丸みを持たせて穴（３）の様々な形状に適合させると良い。【００１３】  図１（ｃ）はホルダー本体に人形型のカバー（１２）を被せた例である。これらのカバー（１２）はあっても無くても良い。またカバー（１２）は他の実施例にも付けることが出来る。
【実施例２】
【００１４】  図２（ａ）は巻きバネ（９）の弾性を利用した実施例２の正面図である。巻きバネ（９）の両端は対になった握り部（６）にそれぞれはずれない様に係合している。握り部（６）を握る事によって保持部（７）の間隔を狭めて穴（３）に入れる事が出来る。この時に保持部（７）が穴（３）を通過できる様に設計する。【００１５】  穴（３）への挿入後、握り部（６）への力を緩めると、巻きバネ（９）が戻ろうとする力で自然に保持部（７）が元の形状に回復する。握り部（６）と保持部（７）は一体につながっており、これが更にヒンジ（１０）を介して交差して対をなしている。交差させる事により保持部（７）の開閉と握り部（６）の開閉とが一致する。洗濯ばさみなどでは握り部を閉じると先端部が開くので逆である。
図２（ｂ）は実施例２の使用状態斜視図である。【００１６】  実施例２と類似の形状でバネを巻きバネでなくこの字型、Ｕ字型、丸型などに変えても同様に使用できる。尚、実施例１，２共に握り部（６）は握った際に滑りにくい様、滑り止めのギザギザや段を設けると使いやすい。
【実施例３】
【００１７】  実施例３はその構造にクリップ部（１１）を持ち、解体用の穴（３）の縁を挟んで保持するもので、クリップ部が保持の役割を果たす。巻きバネ（９）の両端が対になった握り部（６）にそれぞれはずれない様に係合している点は実施例２と同様である。握り部（６）への力を緩めた際にクリップ部（１１）が閉じなくてはならないので、実施例２と違って対の握り部（６）からクリップ部（１１）にかけての交差がなく洗濯ばさみなどと似た構造になっている（図３）。【００１８】  実施例３のクリップ部は巻きバネの力で閉じられているが、他の形状のバネや磁石を用いて閉じることも出来る。
【実施例４】
【００１９】  実施例４は球形のスポンジなどをクッション部（１３）として用いて保持する例である。図４（ａ）は実施例４の保持状態での穴（３）とホルダーを、図４（ｂ）はその使用状態を、図４（ｃ）は実施例４の断面図を示す。【００２０】  芯（１４）は吊り紐からの力がクッション部（１３）の一カ所に集中する事によってクッション部（１３）が破損する事を防ぐ為に設けたが、一方で保持部としての役割も果たす。しかしクッション部（１３）や吊り紐（８）の材質や形状などによっては不要になることもあり得る。またこの芯（１４）は必ずしも中心に配置しなくても良く、底に当たる部分などでも良い。周囲のクッション部（１３）はスポンジの他ウレタンフォームや羽毛、綿、ビーズなど柔軟なあらゆる素材を用いて作ることが出来る。
【実施例５】
【００２１】  図５（ａ）はクッション部（１３）にスポンジを使用し側（１５）で閉じた例である。側（１５）に直接吊り紐（８）を係止してあり、芯（１４）は使用しない。スポンジは滑りにくい材料なのでそのままでは穴（３）に入れにくい。側（１５）を滑りやすい素材で作る事によってこの欠点を改善し使いやすく出来る。【００２２】  図５（ｂ）の一体型吊り具（１６）は適度に柔軟性のある樹脂で作られ、吊り紐と芯の役割を兼ねている。穴（３）への挿入時、クッション部（１３）を縮める際にも役立つ構造である。【００２３】  実施例４，５共に、クッション部（１３）の形は球形に限らず、押し縮めて穴（３）に入る形であれば何でも良い。柔らかいキャラクター人形なども好ましい。また全体が入らなくても例えば熊のぬいぐるみの足先や人間のスケート姿の人形の足先部分だけを保持部として穴（３）に入れて保持しても良いわけである。
【実施例６】
【００２４】  実施例６は保持部（７）がくさび形をしている事が特徴である。穴（３）を通過させる際に穴（３）からの力が加わることにより、あるいは手で両側から力を加えることにより保持部（７）の幅が小さくなり（図６ーａ）、力が無くなると保持部（７）が自然に開いて穴（３）を通過できない形状となる（図６ーｂ）。素材は金属、樹脂、竹など、適度に柔軟性を持つ物ならば可能である。実施例６のティッシュボックスホルダーを取りはずす際はテッシュボックス（２）の解体が必要かも知れないが、使用後なので全く問題はない。保持部（７）の横幅は、使用状態で前後左右に位置がずれても抜け落ちない大きさが必要である。【００２５】  他にも紐の先にＤカンを介してアイスキャンディーの棒状の保持部を固定した物、形状記憶素材を用いて穴（３）通過後に形状を復元させる物、傘の様に穴（３）挿入後に大きく開く物など穴（３）を利用したティッシュボックスホルダーは色々な構造で実現できる。
【発明の効果】
１．新しいティッシュボックスの補充が簡単になる。
２．ティッシュボックスのケースなどと違って不潔になりにくい。
３．実施例１，２、６などでは解体用の穴（３）のミシン目を押さえつつ同時に差し込むことが出来るので便利である。
４．シンプルで美しい。
５．実施例４、５などは使わない時にもそのままで可愛いので部屋にいくつあっても邪魔にならない。特に人形を用いたティッシュボックスホルダーは実用だけではなく人を和ませる効果もある。
【図面の簡単な説明】
【図１】本発明の実施例１斜視図。（ａ）本体をティッシュボックスに差し込んで使用している状態。（ｂー１）力をかけない状態のティッシュボックスホルダー斜視図（ｂー２）保持部（７）断面図（ｂ−３）ティッシュボックスの穴（３）平面図（ｂ−４）握り部（６）を両側から押した状態。矢印は力の向きを示す。（ｃ）本体に人形型カバーを付けた状態の斜視図。
【図２】（ａ）本発明の実施例２正面図。（ｂ）実施例２使用状態斜視図。
【図３】本発明の実施例３正面図。
【図４】（ａ）実施例４と穴（３）の位置関係を示す斜視図。（ｂ）実施例４の使用状態斜視図。（ｃ）実施例４断面図。
【図５】実施例５断面図。
【図６】実施例６斜視図。（ａ）穴（３）に挿入中の保持部（７）及び穴（３）。（ｂ）使用状態での保持部（７）及び穴（３）。
【符号の説明】
１．ティッシュボックスホルダー
２．ティッシュペーパーボックス
３．解体用の穴
４．最大径
５．距離
６．握り部
７．保持部
８．吊り紐
９．巻きバネ
１０．ヒンジ
１１．クリップ部
１２．カバー
１３．クッション部
１４．芯
１５．側
１６．一体型吊り具
【図１】
2006056596.tif 000003
【図２】
2006056596.tif 000004
【図３】
2006056596.tif 000005
【図４】
2006056596.tif 000006
【図５】
2006056596.tif 000007
【図６】
2006056596.tif 000008